(57)【要約】      （修正有）【課題】膜の交換作業性のよい水処理装置の提供。【解決手段】複数の膜エレメント20が集水管15に接続されており、集水管15の一端側は水処理槽11の側壁11ａに固定された接続手段13に着脱自在に取り付けられ、他端側は側壁11ｂの凹部14に置かれている。複数の膜エレメント20を支持する枠体がないので、枠体の引き上げが不要となり、膜の交換作業が容易である。【選択図】図１
2008264619.tif 000002
【特許請求の範囲】
【請求項１】
複数の膜エレメントが集水管に接続されており、水処理槽に浸漬して濾過する方式の濾過膜モジュールを用いた水処理装置であって、前記集水管が水処理槽壁に着脱自在に取り付けられている水処理装置。
【請求項２】
前記集水管が、水処理槽の対向する壁の少なくとも一方に形成された取付手段により支持されている、請求項１記載の水処理装置。
【請求項３】
前記集水管が、水処理槽の対向する壁に沿って形成された１対のガイドレールに対して、水平方向に移動自在に架け渡されている、請求項１記載の水処理装置。
【発明の詳細な説明】
【技術分野】
【０００１】
本発明は、構造が簡略化され、膜の取り替えも容易な水処理装置に関する。
【背景技術】
【０００２】
処理槽内に浸漬して使用する方式の膜モジュールは、金属製の枠内に集水管と膜エレメントとが収容された構造のものが汎用されている。しかし、枠があると、全体の質量や容積が大きくなるほか、膜エレメントや膜束の交換の際には、処理槽から重い枠ごと引き上げる必要があることから、作業負担も大きかった。
【特許文献１】特開２００３−０５３１５７号公報
【特許文献２】特開平２−０８６８９３号公報
【特許文献３】特開平８−２６７０８３号公報
【特許文献４】特開平１０−０９９８５６号公報
【発明の開示】
【発明が解決しようとする課題】
【０００３】
本発明は、枠自体をなくすことで、構造を簡略化し、かつより軽量化することができ、膜束の交換も容易な水処理装置を提供することを課題とする。
【課題を解決するための手段】
【０００４】
請求項１の発明は、複数の膜エレメントが集水管に接続されており、水処理槽に浸漬して濾過する方式の濾過膜モジュールを用いた水処理装置であって、前記集水管が水処理槽壁に着脱自在に取り付けられている水処理装置を提供する。
【０００５】
請求項２の発明は、前記集水管が、水処理槽の対向する壁の少なくとも一方に形成された取付手段により支持されている、請求項１記載の水処理装置を提供する。
【０００６】
請求項３の発明は、前記集水管が、水処理槽の対向する壁に沿って形成された１対のガイドレールに対して、水平方向に移動自在に架け渡されている、請求項１記載の水処理装置を提供する。
【発明の効果】
【０００７】
本発明の水処理装置は、膜エレメントを支持する枠体がないため、メンテナンス作業等において重い枠体を引き上げる作業が不要となり、膜エレメントを交換するときの作業性が良く、作業負担が軽減される。
【発明を実施するための最良の形態】
【０００８】
（１）図１の水処理装置
図１（ａ）は水処理装置１０の平面図、図１（ｂ）は、構造を理解し易くするため、（ａ）の水処理槽１１のみを断面図で示している。
【０００９】
水処理装置１０は、水処理槽１１とその中に浸漬して使用される濾過膜モジュールを有するものである。濾過膜モジュールは、１本の集水管１５と複数の膜エレメント２０の組み合わせを１組として、これを１組又は２組以上有するものである。
【００１０】
水処理槽１１の側壁１１ａには、外側から内側に透過液パイプ１２が貫通されている。透過液パイプ１２の外側の先端開口部は透過液ラインに接続され、内側（水処理槽１１内）の先端開口部には接続手段１３が取り付けられている。
【００１１】
接続手段１３は、２本の管を着脱自在に接続できるものであればよく、例えば、２本の管を嵌め込んで接続できるもの、２本の管をねじ込んで接続できるものを用いることができる。なお、必要に応じて、２本の管の接続部分にシール材を介在させることもできる。
【００１２】
側壁１１ａと正対する側壁１１ｂには、所定間隔をおいて複数の凹部１４が形成されている。複数の凹部１４と複数の接続手段１３は、それぞれが正対している。
【００１３】
集水管１５の一端開口部は、接続手段１３に対して着脱自在に接続されており、透過液パイプ１２と連通されている。集水管１５の他端閉塞部は、凹部１４内に置かれている。
【００１４】
集水管１５には、複数の中空糸膜エレメント２０が吊り下げられた状態で接続されている。中空糸膜エレメント２０の構造等は特に制限されず、公知のものを用いることができる。図１では、内部に図示していない集水手段を有する中空糸膜束２１の端部が集水キャップ２２に固定され、集水キャップ２２が連結管２３で集水管１５に接続されている。
【００１５】
図１では、水処理槽１１内において、１本の集水管１５に３つの中空糸膜エレメント２０が吊り下げされ、計３組の中空糸膜モジュールを設置できるようになっている。１つの中空糸膜モジュールを構成する中空糸膜エレメントと中空糸膜モジュールの数は、水処理槽１１の容積、要求される濾過性能等に応じて適宜調整することができる。
【００１６】
また水処理装置１０では、側壁１１ｃと中空糸膜モジュールとの間隔があいており、その間隔を利用して中空糸膜エレメント２０の交換作業ができるので、交換作業がより容易になる。
【００１７】
水処理槽１０では、中空糸膜エレメント２０を取り替えるとき、接続手段１３を回して緩めることで集水管１５の端部を外した後、集水管１５ごと、それに吊り下げられた中空糸膜エレメント２０を引き上げればよい。
【００１８】
（２）図２の水処理装置
図２（ａ）は水処理装置１００の平面図、図２（ｂ）は、構造を理解し易くするため、（ａ）の水処理槽１１１のみを断面図で示している。
【００１９】
水処理装置１００は、水処理槽１１１とその中に浸漬して使用される濾過膜モジュールを有するものである。濾過膜モジュールは、１本の集水管１１５と複数の膜エレメント２０の組み合わせを１組として、これを１組又は２組以上有するものである。
【００２０】
水処理槽１１１の側壁１１１ａには、外側から内側に透過液パイプ１１２が貫通されている。透過液パイプ１１２の外側の先端開口部は透過液ラインに接続され、内側（水処理槽１１１内）の先端開口部には接続手段１１３が取り付けられている。
【００２１】
接続手段１１３は、２本の管を着脱自在に接続できるものであればよく、例えば、２本の管を嵌め込んで接続できるもの、２本管をねじ込んで接続できるものを用いることができる。なお、必要に応じて、２本の管の接続部分にシール材を介在させることもできる。
【００２２】
側壁１１１ｂ側の側壁１１１ｃ、１１１ｄ間には、高さ方向に間隔をおいて、２本のガイドレール１１８、１１６が架け渡されている。更に、側壁１１１ａ側（接続手段１１３側）の側壁１１１ｃ、１１１ｄ間には、１本のガイドレール１１７が架け渡されている。
【００２３】
集水管１１５の一端開口部は、接続手段１１３に対して着脱自在に接続され、透過液パイプ１１２と連通されていおり、接続手段１１３に近接した部分はガイドレール１１７上にて接触支持されている。ガイドレール１１７の表面には、集水管１１５を嵌め込むことができる半円形の凹部を形成し、前記凹部に集水管１１５を嵌め込むこともできる。
【００２４】
集水管１１５の他端閉塞部は、ガイドレール１１８とガイドレール１１６間に、水平方向に移動自在に挿入されている。ガイドレール１１６の表面には、集水管１１５を嵌め込むことができる半円形の凹部を形成し、前記凹部に集水管１１５の他端閉塞部を嵌め込むこともできる。
【００２５】
集水管１１５には、複数の中空糸膜エレメント２０が吊り下げられた状態で接続されている。中空糸膜エレメント２０は、図１で示したものと同じものである。
【００２６】
図２では、水処理槽１１１内において、１本の集水管１１５に３つの中空糸膜エレメント２０が吊り下げされ、計４組の中空糸膜モジュールを設置できるようになっている。１つの中空糸膜モジュールを構成する中空糸膜エレメントと中空糸膜モジュールの数は、水処理槽１１１の容積、要求される濾過性能等に応じて適宜調整することができる。
【００２７】
水処理槽１００では、中空糸膜エレメント２０を取り替えるとき、接続手段１１３を回して緩めることで集水管１１５の一端部を外した後、前記一端部側はガイドレール１１７上をスライドさせ、集水管１１５の他端部側は２本のガイドレール１１８、１１６間でスライドさせる。このようにして、集水管１１５を側壁１１１ｃ又は側壁１１１ｄの側に移動させることで、いずれか一方の側から、集水管１１５ごと、それに吊り下げられた中空糸膜エレメント２０を引き上げればよいので、作業性が向上される。
【図面の簡単な説明】
【００２８】
【図１】（ａ）は水処理装置の平面図、（ｂ）は（ａ）の一部を断面図で表示した図。
【図２】（ａ）は他実施形態の水処理装置の平面図、（ｂ）は（ａ）の一部を断面図で表示した図。
【符号の説明】
【００２９】
１０，１００  水処理装置
１１、１１１  水処理槽
１３、１１３  接続手段
１４  凹部
１５、１１５  集水管
２０  中空糸膜エレメント
１１６，１１７、１１８  ガイドレール
【図１】
2008264619.tif 000003
【図２】
2008264619.tif 000004